(57)【特許請求の範囲】
【請求項１】
支持体(2)に上下動可能に支持され、下端に縫針(5)が装着された１または複数の針棒と、各針棒に対応して支持体に上下揺動可能に支持された１または複数の天秤(6)と、前記支持体(2)の前面に配設され、対応する前記天秤(6)を挿通させるためのスリット(7a)を前記各天秤(6)に対応して形成した支持体カバー(7)とを備えるミシンにおいて、
前記各天秤(6)に対応して、個別に、
前記支持体カバー(7)の前面に配設された、糸取りばね(15)を有する糸取り部材(10)と、
前記糸取りばね(15)に掛けられた糸が後方に流れるのを規制する規制部材(19)と、
前記糸取り部材(10)の前方に位置して、前方向に単独で取り外すことが可能なように設けられたカバー部材(8)であって、糸の挿入を許容するよう開放された下端部(8b)と、該下端部(8b)から前記糸取りばね(15)へと糸を案内する案内部(8c)と、前記糸取りばね(15)の先端部を移動可能に受け入れる溝(8d)とを有する前記カバー部材(8)と
を備えたことを特徴とするミシン。
【請求項２】
前記カバー部材(8)は、前記天秤(6)の上下揺動経路の所定範囲において、該天秤の先端部を覆う天秤カバー部分(8g)を備えていることを特徴とする請求項１のミシン。
【請求項３】
前記カバー部材(8)に対応する前記天秤(6)は、上死点において前記天秤カバー部分(8g)から露出しており、該カバー部材(8)を取り外すことなく該天秤(6)にアクセスすることができることを特徴とする請求項２のミシン。
【請求項４】
前記天秤(6)は、その糸通し孔の下側に延びた先端部(6a)を有することを特徴とする請求項３のミシン。
【請求項５】
前記カバー部材(8)は、ネジ(20)を介して脱着可能に取り付けられることを特徴とする請求項１乃至４のいずれかのミシン。
【請求項６】
前記カバー部材(8)は、係合片(8f)を含み、該係合片(8f)を介して所定の固定用部位(7b)に対して脱着可能に取り付けられることを特徴とする請求項１乃至４のいずれかのミシン。
【請求項７】
前記カバー部材(8)は、その裏面(8a)において、前記糸取り部材(10)の所定部位に形成された取付部(12b)と嵌合する嵌合構造を有し、前記係合片(8f)を介した係合と該嵌合構造を介した嵌合とによって、該カバー部材(8)を位置決めすることを特徴とする請求項６のミシン。
【請求項８】
前記糸取りばね(15)は、ばね線材をコイル状に巻回してなるコイル部(15a)と、コイル部の一端に半径方向外方に延出するよう連成したレバー部(15b)と、レバー部の先端部に連成した糸引掛け用のフック部(15c)と、コイル部の他端に連成した係止部(15d)とで構成され、
前記糸取り部材(10)は、取付孔(12a)を備えた保持体(12)と、該保持体(12)の該取付孔(12a)に固定される円筒ケース(13)と、該円筒ケース(13)内に回転可能に嵌挿されるばね軸(16)とを更に有し、前記ばね軸(16)は、前記糸取りばね(15)の前記係止部(15d)を係合するための係合溝(16c)を有しており、
前記ばね軸(16)上に前記糸取りばね(15)の前記コイル部(15a)を外挿して、前記係合溝(16c)に前記係止部(15d)を係合することにより、前記糸取りばね(15)が該ばね軸(16)に取り付けられ、
前記円筒ケース(13)には、所定角度範囲に亘り切除した切欠部(13b)が形成してあり、該切欠部(13b)に前記糸取りばね(15)の前記レバー部(15b)を位置させ、該切欠部(13b)の下端に該レバー部(15b)が当接した状態で、固定部材(17)を介して前記ばね軸(16)が前記円筒ケース(13)に固定されることを特徴とする請求項１乃至７のいずれかのミシン。
【発明の詳細な説明】
【技術分野】
【０００１】
本発明は、天秤と、縫針に供給される上糸経路における天秤の上流間近に配置された糸取り部材とを備えた本縫い形式の刺繍ミシンに関し、詳細には、天秤上流の糸取り部材への上糸のセットが容易になるように改良したことに関する。
【背景技術】
【０００２】
下記特許文献１には、縫針に供給される上糸経路における天秤の上流間近に配置した糸取り部材を備え、糸取り部材への上糸のセットを容易とした多針式の刺繍ミシンが開示されている。この従来の刺繍ミシンは、天秤の上下揺動経路の所定範囲において複数の天秤を一体的に覆う天秤カバーを備えている。この天秤カバーは、底板と前方に隆起したパネルより構成してあり、該パネルには各天秤に対応してスリットがそれぞれ形成してある。このスリットの上方部と下方部は幅広に形成してあり、上方部には天秤の先端部が挿通され、下方部には後述する保持板カバーが挿通される。天秤カバーの内部には固定板が天秤カバーの背面より固定してあり、固定板には各天秤に対応して糸取り部材が設けてある。糸取り部材は、固定板の前面に固定された保持板と、保持板の前端に固定された保持板カバーとを有し、保持板カバーはパネルに形成されたスリットの下方部に挿通され、保持板カバーの下側がパネルより前方に延出して位置している。保持板の一側面には糸調子器が設けてある。糸調子器はディスクとピンを備え、ディスクがピンにより保持板に取り付けられ、ディスクには同一円周上に位置する複数の孔が設けてある。糸調子器は、ピンに嵌合されるコイル状ばね部と、前方に延出する三角形状の糸取りフック部とを有する糸取りばねを備えている。そして、糸取りばねのコイル状ばね部の基端がディスクに設けられた複数の孔の一つに挿入してある。保持板には、糸取りばねの糸取りフック部の移動軌跡に対応する円弧状の切欠溝が形成してあり、この切欠溝に糸取りフック部が位置している。
【０００３】
特許文献１に示された刺繍ミシンにおいて、糸取り部材及び天秤に糸をセットするときには、糸をパネルに形成された対応するスリットに通して、保持板カバーの右側からパネルより前方に位置している保持板カバーの下側に掛け渡して上方に折返して引き上げる。これにより、糸は保持板の切欠溝に導かれて糸取りばねの三角形状の糸取りフック部に入る。次に糸を天秤に通して下方に折り返し、スリットに通して保持板カバーの左側を通して縫針へと導く。このように上記特許文献１の刺繍ミシンによれば、糸取り部材への糸のセットが簡易に行えることとなる。これとは別に、糸調子器のディスクには同一円周上に位置する複数の孔を設け、糸取りばねのコイル状ばね部の基端をその中の一つに挿入してあり、挿入する孔を替えることによって糸取りばねのばね弾力が変わり、使用する糸に適したばね弾力とすることができる。
【先行技術文献】
【特許文献】
【０００４】
【特許文献１】中国特許出願公開第CN102140742号
【発明の概要】
【発明が解決しようとする課題】
【０００５】
上記特許文献１の刺繍ミシンでは、糸取り部材に対するメンテナンスを行うときには、糸取り部材が固定されている天秤カバーをミシンヘッドより取り外し、天秤カバーの背面側から糸取り部材が固定された固定板を取り外す必要がある。このとき、天秤カバーを外すには、セットされている全ての糸を外さなければならず、再度天秤カバーを取り付けたときには全ての糸をセットし直すこととなる。このため、糸取り部材のメンテナンスに伴う作業が非常に手間で時間のかかるものであった。
【０００６】
また、糸取りばねのコイル状ばね部の基端を挿入しているディスクの孔を替える場合には、上記した状態から更に固定板から保持板を取り外し、保持板からディスクを取り外して行う必要がある。これは保持板を固定板に固定した状態では隣接する他の保持板と干渉してディスクを取り外すことができないためである。従って、このばね弾力を変える作業も非常に手間で時間のかかるものであった。このように上記特許文献１の刺繍ミシンでは、糸取り部材に対するメンテナンスを行うときの作業が非常に手間で時間のかかるものであった。
【０００７】
本発明は、上述の点に鑑みてなされたもので、糸取り部材への上糸のセットを容易に行えるようにし、また、糸取り部材に対するメンテナンスを行うときの作業も簡便にできるようにしたミシンを提供しようとするものである。
【課題を解決するための手段】
【０００８】
本発明に係るミシンは、支持体(2)に上下動可能に支持され、下端に縫針(5)が装着された１または複数の針棒と、各針棒に対応して支持体に上下揺動可能に支持された１または複数の天秤(6)と、前記支持体(2)の前面に配設され、対応する前記天秤(6)を挿通させるためのスリット(7a)を前記各天秤(6)に対応して形成した支持体カバー(7)とを備えるミシンにおいて、前記各天秤(6)に対応して、個別に、前記支持体カバー(7)の前面に配設された、糸取りばね(15)を有する糸取り部材(10)と、前記糸取りばね(15)に掛けられた糸が後方に流れるのを規制する規制部材(19)と、前記糸取り部材(10)の前方に位置して、前方向に単独で取り外すことが可能なように設けられたカバー部材(8)であって、糸の挿入を許容するよう開放された下端部(8b)と、該下端部(8b)から前記糸取りばね(15)へと糸を案内する案内部(8c)と、前記糸取りばね(15)の先端部を移動可能に受け入れる溝(8d)とを有する前記カバー部材(8)とを備えたことを特徴とする。なお、括弧内に記した参照番号は、各構成要素に対応する後述する実施例における図面参照番号を参考のために記すものであり、発明の範囲を限定することを意図するものではない。
【０００９】
上記構成において、糸取りばね(15)に糸をセットするときには、カバー部材(8)の側方からカバー部材(8)の下端部(8b)に糸を掛け渡して上方に折り返して引き上げる。これにより、糸はカバー部材(8)の下端部(8b)の開放空間から挿入され、案内部(8c)に案内されて糸取りばね(15)にセットされる。その後に糸を天秤(6)に通して下方に折り返して縫針(5)へと導く。このように、本発明では糸取りばね(15)への糸のセットが簡易に行える。糸取りばね(15)にセットした糸は、刺繍縫い等の縫い動作を行う過程で弛むことがあるが、糸取りばね(15)の先端部はカバー部材(8)の溝(8d)に受け入れられているため、糸が糸取りばね(15)から外れることがない。また、規制部材(19)によって糸が後方に流れていずれかの部品に引っ掛かることがない。また、各天秤(6)に対応して個別にカバー部材(8)が設けられていて、１つのカバー部材(8)は単独で前方向に取り外し可能であるため、１つの天秤(6)に対応する糸取り部材(10)に対するメンテナンスを行うときには、対応する１つのカバー部材(8)を前方向に取り外すだけで良く、糸取りばね(15)にセットした糸を外す必要がない。このため、糸取り部材(10)のメンテナンスに伴う作業が非常に簡易なものとなる。
【００１０】
一実施例において、前記カバー部材(8)は、前記天秤(6)の上下揺動経路の所定範囲において、該天秤の先端部を覆う天秤カバー部分(8g)を備えている。これにより、構造が簡単でありながら、天秤に不用意に作業者が触れたり、物が当たったりすることを防止でき、天秤を良好に保護できることとなる。
【００１１】
一実施例において、前記糸取りばね(15)は、ばね線材をコイル状に巻回してなるコイル部(15a)と、コイル部の一端に半径方向外方に延出するよう連成したレバー部(15b)と、レバー部の先端部に連成した糸引掛け用のフック部(15c)と、コイル部の他端に連成した係止部(15d)とで構成され、前記糸取り部材(10)は、取付孔(12a)を備えた保持体(12)と、該保持体(12)の該取付孔(12a)に固定される円筒ケース(13)と、該円筒ケース(13)内に回転可能に嵌挿されるばね軸(16)とを更に有し、前記ばね軸(16)は、前記糸取りばね(15)の前記係止部(15d)を係合するための係合溝(16c)を有しており、前記ばね軸(16)上に前記糸取りばね(15)の前記コイル部(15a)を外挿して、前記係合溝(16c)に前記係止部(15d)を係合することにより、前記糸取りばね(15)が該ばね軸(16)に取り付けられ、前記円筒ケース(13)には、所定角度範囲に亘り切除した切欠部(13b)が形成してあり、該切欠部(13b)に前記糸取りばね(15)の前記レバー部(15b)を位置させ、該切欠部(13b)の下端に該レバー部(15b)が当接した状態で、固定部材(17)を介して前記ばね軸(16)が前記円筒ケース(13)に固定される。
【００１２】
これによれば、保持体(12)に固定された円筒ケース(13)にばね軸(16)を嵌挿して固定し、このばね軸(16)に形成された係合溝(16c)に糸取りばね(15)の係止部(15d)を係合するように構成されている。このため、固定部材(17)によるばね軸(16)の固定を解除して、ばね軸(16)をその軸中心に回転すると、糸取りばね(15)のばね弾力が変わることとなる。従って、保持体(12)から部品を取り外すことなく糸取りばね(15)のばね弾力を簡易に変更することができる。
【図面の簡単な説明】
【００１３】
【図１】本発明の一実施例に係る刺繍ミシンにおける多針式の１ミシンヘッドの正面図。
【図２】図１のミシンヘッドの右側面図。
【図３】１つのカバー部材の右側面概略図。
【図４】すべてのカバー部材を取り外した状態における１ミシンヘッド内の複数の天秤及び糸取り部材を正面から略示する図。
【図５】１つの糸取り部材の分解斜視図。
【図６】図５の糸取り部材における円筒ケース、糸取りばね、ばね軸を別の方向から見た分解斜視図。
【発明を実施するための形態】
【００１４】
図１には、刺繍ミシンにおける１つの多針式のミシンヘッドＨの正面図が示してあり、図２にはそのミシンヘッドＨの右側面図が示してある。ミシンヘッドＨは、ミシンフレームＭに固定されたアーム１と、アーム１の前面に横方向にスライド可能に支持された針棒ケース２とで構成される。ミシンヘッドＨの下方には針板３が設けてあり、針板３の下方には回転駆動される図示しない周知の釜が設けてある。アーム１には図示しないミシン駆動モータによって回転駆動されるミシン主軸４が貫通して設けてある。公知のように、針棒ケース２（支持体）には下端に縫針５が固定された複数（例えば６本）の針棒（図示せず）が上下動可能に支持してある。また、針棒ケース２には各針棒に対応する天秤６が上下揺動可能に支持してあり、各天秤６の先端部は、針棒ケース２の前面に固定した正面カバー板７（支持体カバー）に形成された上下方向の各スリット７ａを介して前方に突出している。公知のように、針棒ケース２は図示しない色換え機構によって横方向にスライド可能であり、任意の１つの針棒を所定の選択位置に位置させることで、縫い動作に使用する１つの針棒（換言すれば糸色）を選択できるようになっている。公知のように、ミシン主軸４の回転に従って、図示しない駆動機構を介して、該選択された針棒（縫針５）が上下動するとともに、該選択された針棒に対応する天秤６が上下揺動することとなる。この針棒の上下動と釜の協働により周知の縫いが行われる。
【００１５】
正面カバー板７の前面には、各天秤６に対応して個別にカバー部材８が設けてあるとともに、両端側に位置する夫々のカバー部材８の外側には外側カバー部材９、９が固定してある。図３には、外側カバー部材９、９を取り外した状態の正面カバー板７の右側面概略図が示してあり、つまり、これは１つのカバー部材８を右側面から見たものに相当する。図４にはカバー部材８及び９を取り外した状態の正面カバー板７の正面概略図が示してあり、つまり、これは、すべてのカバー部材８、９を取り外した状態における１ミシンヘッドＨ内の複数の天秤６及び糸取り部材１０を正面から略示する図である。これらの図より明らかなように、正面カバー板７の前面下方部には、各天秤６に対応して糸取り部材１０が設けてある。
【００１６】
図５には一つの糸取り部材１０の立体分解図が示してある。糸取り部材１０は、前面カバー板７の前面下方部に固定されたベース部材１１に固定した保持体１２を有している。保持体１２の略中央部には横方向に貫通した取付孔１２ａが形成してある。この取付孔１２ａには円筒ケース１３が嵌挿してあり、円筒ケース１３の左端部に形成された鍔部１３ａを保持体１２の左側面に当接した状態で、取付ネジ１４により固定してある。円筒ケース１３には、糸取りばね１５とばね軸１６が設けてある。
【００１７】
図６には、円筒ケース１３、糸取りばね１５、ばね軸１６を図５とは別の方向から見た立体分解図が示してある。糸取りばね１５は、ばね線材をコイル状に巻回してなるコイル部１５ａと、コイル部１５ａの一端に半径方向外方へ真直に延出するよう連成したレバー部１５ｂと、レバー部１５ｂの先端部に連成した糸引掛け用のフック部１５ｃと、コイル部１５ａの他端に連成した係止部１５ｄとより構成してある。糸取りばね１５のレバー部１５ｂには、図で下向きにバネの付勢がかかる。ばね軸１６は頭部と軸部とより構成してあり、頭部には放射状に延びた複数の操作溝１６ａと規制片１６ｂが形成してある。ばね軸１６の軸部には糸取りばね１５の係止部１５ｄが係合する係合溝１６ｃが形成してある。また、ばね軸１６の軸部は縮径した先方部を有し、その先方部が円筒ケース１３の嵌合孔１３ｃにその軸中心で回転可能に嵌挿されるようになっている。このばね軸１６の軸上に糸取りばね１５のコイル部１５ａを外挿し、糸取りばね１５の係止部１５ｄをばね軸１６の係合溝１６ｃに係合した状態で円筒ケース１３に嵌挿する。円筒ケース１３の鍔部１３ａには、所定の角度範囲に亘り切除した切欠部１３ｂが形成してあり、この切欠部１３ｂに糸取りばね１５のレバー部１５ｂを位置させる。そして、ばね軸１６をその軸中心で回転して、糸取りばね１５のレバー部１５ｂを切欠部１３ｂの下端に当接させるとともに、糸取りばね１５のばね弾力が意図する強さとなる回転位置にて、ばね軸１６を取付ネジ１７（固定部材）にて円筒ケース１３に固定する。なお、円筒ケース１３の鍔部１３ａには、ばね軸１６の規制片１６ｂと当接して、ばね軸１６を一回転以上回転することができないように規制する係止片１３ｄが設けてある。これは、ばね軸１６を一回転以上回転すると糸取りばね１５が破損する虞があるためである。
【００１８】
保持体１２には、糸取りばね１５のフック部１５ｃの上方位置にてフック部１５ｃの左右側に位置する２本のローラ１８、１８が、所要の間隔を保持して設けてある。保持体１２の右側面には、糸取りばね１５のフック部１５ｃに掛けた上糸が後方に流れるのを防止する２本のピン１９、１９が固定してある。図４より理解できるように、ピン１９、１９の先端は右隣に配設された保持体１２の左側面に形成された凹部内に位置して支持されるようになっており、これにより、隣接する保持体１２間でピン１９、１９が横方向に延びる。なお、図示していないが、左側の側面カバー部材９には同様に２本のピン１９、１９が固定してあり、その先端は最も左側の保持体１２の左側面に形成された凹部内に位置している。これにより、フック部１５ｃに掛けた上糸が後方に流れるのが確実に防止される。
【００１９】
個々のカバー部材８は、保持体１２の前面に取付ネジ２０によりそれぞれ固定してあり、該取付ネジ２０を外すことにより、１つのカバー部材８を単独で前方向に取り外すことができるようになっている。カバー部材８の裏面には台座８ａが形成してあり、該台座８ａには、保持体１２側に形成された取付部１２ｂが嵌合する凹部（図示せず：嵌合構造）が設けられている。カバー部材８の下端部８ｂは、保持体１２との間に開放空間を設けるよう、開放端として形成してあり、この開放空間がカバー部材８の下から上糸を挿入するための挿入用となる。また、各カバー部材８が独立しているため、１つのカバー部材８の左右両側面と隣接するカバー部材８の側面との間にも連続的な空隙が形成され、カバー部材８の下端部８ｂの開放空間から挿入された上糸Ｔがカバー部材８の左右両側面の空隙を任意に通り抜けることができる。
【００２０】
更に、カバー部材８には、その下端部８ｂから台座８ａへと延び、該下端部８ｂの開放空間から挿入した上糸を糸取りばね１５のフック部１５ｃへと案内するための案内部８ｃが形成してある。この案内部８ｃには、糸取りばね１５のフック部１５ｃの移動範囲に亘ってフック部１５ｃの先端部が挿入する溝８ｄが形成してある。カバー部材８の上方部には、天秤６の上下揺動経路の所定範囲において、天秤６の先端部の右側を遮蔽する遮蔽板８ｅが設けてある。カバー部材８の上端部後方には、正面カバー板７に形成した矩形の貫通孔７ｂ（固定用部位）に係合する、爪部を有する係合片８ｆが設けてある。この係合片８ｆの貫通孔７ｂへの係合と、台座８ａの凹部への保持体１２の取付部１２ｂの嵌合によって、カバー部材８を取り付けるときの鉛直が保たれる（カバー部材８が所定の配置で位置決めされる）。
【００２１】
図３より明らかなように、カバー部材８において、上死点の天秤６の先端部が位置する部分は、大きく窪んだ形状としてある。これは、天秤６の通し穴に糸を通すときに、糸を摘んだ指の邪魔にならないようにするためである。そして、カバー部材８の大きく窪んだ部分と天秤６の先端との間に指が入らないように、天秤６には下方に延びた先端部６ａが形成してある。
【００２２】
なお、公知のように、縫い動作時において、天秤６は所定の上死点と下死点との間で上下に揺動するので、天秤６の位置は図３に示すよりも下方に移動する。図５に示すように、カバー部材８の前面には、天秤カバー部分８ｇが形成されており、この天秤カバー部分８ｇは、天秤６の上下揺動経路の所定範囲において該天秤６の先端部を覆う機能を果たす。これにより、縫い動作中に作業者が誤って天秤に触れるおそれがなくなる。ここで、天秤カバー部分８ｇの範囲は、カバー部材８に対応する天秤６が上死点にあるとき該天秤カバー部分８ｇから露出するように、上死点にある天秤６を覆わないが、それよりも下方に位置する天秤６を覆うようにした範囲であり、これにより、作業者は上死点において該カバー部材８を取り外すことなく該天秤６にアクセスすることができ、上述のように糸通しを楽に行うことができる。
【００２３】
次に本実施例における上糸Ｔのセットについて説明する。図１、図３、図４に示すように、針棒ケース２の上方より各針棒に対応して導かれた上糸Ｔを、対応するカバー部材８と、その右隣に配設されたカバー部材８または外側カバー部材９との間に設けられた隙間に通してカバー部材８の下端部８ｂまで導き、その下端部８ｂに掛け渡して上方に折り返す。次に、上糸Ｔをカバー部材８と、その左隣に配設されたカバー部材８または外側カバー部材９との間に設けられた隙間に通しながら上方に引き上げる。これにより、上糸Ｔは、カバー部材８の下端部８ｂの挿入用空隙を通して挿入され、案内部８ｃに案内されて糸取りばね１５のフック部１５ｃに掛けられる。次に上糸Ｔを天秤６の通し孔に通して下方に折り返し、再度、カバー部材８と、その左隣に配設されたカバー部材８または外側カバー部材９との間に設けられた隙間に通して、針棒ケース２の下方部に配設された下糸道２１に通す。そして、上糸Ｔを対応する縫針５に通す。このように、カバー部材８の下端部に上糸Ｔを掛け渡して上方に折り返して引き上げるだけで、簡易に上糸Ｔを糸取りばね１５のフック部１５ｃに掛けることができる。
【００２４】
この上糸Ｔのセット時において、及び、縫い動作中においても、糸取りばね１５のフック部１５ｃに掛けられた上糸Ｔは、その上流、下流においてフック部１５ｃの上方に設けたローラ１８、１８によって案内されるため、上糸Ｔはスムーズに流れることとなる。
【００２５】
なお、刺繍を行うなかで糸取りばね１５のフック部１５ｃの付近で上糸Ｔが弛むことがあるが、フック部１５ｃの先端はカバー部材８の溝８ｄに挿入されているため、上糸Ｔがフック部１５ｃから外れることがない。また、２本のピン１９、１９によって弛んだ上糸Ｔが止められることにより、弛んだ上糸Ｔが後方に流れて円筒ケース１３やばね軸１６等の部品に引っ掛かることがない。
【００２６】
次に本実施例において、糸取り部材１０へのメンテナンス作業を行う場合について説明する。このメンテナンス作業を行うときには、メンテナンス作業を行う糸取り部材１０のカバー部材８を固定している取付ネジ２０を外して、カバー部材８を保持体１２から取り外す。このとき、その糸取り部材１０にセットされた上糸Ｔはそのままでカバー部材８を取り外すことができる。
【００２７】
そして、その糸取り部材１０において、糸取りばね１５のばね弾力を変更するときには、ばね軸１６を固定している取付ネジ１７を緩め、例えば棒状の操作具をばね軸１６の頭部の操作溝１６ａに挿入し、操作具を操作してばね軸１６を回転させる。これにより、糸取りばね１５の係止部１５ｄの位置が変わり、糸取りばね１５のばね弾性が変更されるため、意図するばね弾性となったところで取付ネジ１７を締めてばね軸１６を固定する。
【００２８】
以上説明したように、本発明によれば、カバー部材８の下端部に上糸Ｔを掛け渡して上方に折り返して引き上げるだけで、簡易に上糸Ｔを糸取りばね１５のフック部１５ｃにセットすることができる。
【００２９】
また、糸取り部材１０へのメンテナンス作業を行うときには、そのカバー部材８のみを取り外すだけでよいため、メンテナンスに伴う作業が非常に簡易となる。
【００３０】
また、糸取りばね１５のばね弾力を変更するときには、取付ネジ１７を緩めてばね軸１６を回転するだけでよいため、このばね弾力を変更する作業も非常に簡易なものとなる。
【００３１】
なお、上記実施例において、カバー部材８に天秤６の先端部の右側を遮蔽する遮蔽板８ｅを設けた構成としたが、カバー部材８の前面の天秤カバー部分８ｇによって天秤６の先端部は覆われるため、遮蔽板８ｅは必ずしも必要ではない。
また、上記実施例において、前面カバー板７の前面下方部に固定されたベース部材１１に保持体１２を固定した構成としたが、保持体１２を前面カバー板７に直接固定するようにしてもよい。
なお、本発明は、刺繍ミシンに限らず、その他の縫いミシンに適用可能である。
【符号の説明】
【００３２】
Ｈ  ミシンヘッド
２  針棒ケース（支持体）
５  縫針
６  天秤
７  正面カバー板（支持体カバー）
７ａ  スリット
８  カバー部材
８ｂ  下端部
８ｃ  案内部
８ｄ  溝
１０  糸取り部材
１２  保持体
１３  円筒ケース
１５  糸取りばね
１５ａ  コイル部
１５ｂ  レバー部
１５ｃ  フック部
１５ｄ  係止部
１６  ばね軸
１９  ピン（規制部材）
【図１】
0005642110.tif 000002
【図２】
0005642110.tif 000003
【図３】
0005642110.tif 000004
【図４】
0005642110.tif 000005
【図５】
0005642110.tif 000006
【図６】
0005642110.tif 000007